【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】  ビデオ信号を、第１と第２のバッファに分割されているメモリにバッファリングするメモリ管理方法であって、
ビデオ信号を受信すること、
前記ビデオ信号の受信に応答して、標準バファリング信号を生成すること、
前記標準バッファリング信号を処理して、前記受信したビデオ信号が第１の形式かあるいは第２の形式かを決定すること、
前記受信したビデオ信号が前記第１の形式である場合に、前記標準バファリング信号にしたがって、前記第１の形式のビデオ信号が、前記第１と第２のバッファに交互に書き込まれ、前記第１と第２のバッファから交互に読み出される形で、前記受信したビデオ信号を前記メモリ内にバッファリングすること、
前記受信した信号が第２の形式である場合に、前記標準バッファリング信号を部分的にオーバーライドして、変更されたバッファリング信号を生成すること、
前記変更されたバッファリング信号にしたがって、前記メモリ内に前記第２の形式のビデオ信号をバッファリングすること
を備え、前記第２の形式のビデオ信号が、データの損失なく前記メモリにバッファされることを特徴とするメモリ管理方法。
【請求項２】  前記第２の形式がデジタル化アナログ順次（ｐ）形式であることを特徴とする請求項１に記載のメモリ管理方法。
【請求項３】  前記第２の形式が２４０ｐ垂直形式であることを特徴とする請求項１に記載のメモリ管理方法。
【請求項４】  前記第２の形式で受信した前記信号はビデオ・ゲーム・コンソール、ビデオ・カセット・レコーダ、およびケーブルテキスト・ジェネレータのいずれかにより生成されることを特徴とする請求項１に記載のメモリ管理方法。
【請求項５】  前記第１の形式はインターレース形式、ＣＣＩＲ  ６０１／６５６準拠形式、およびＭＰＥＧ準拠形式のいずれかであることを特徴とする請求項１に記載のメモリ管理方法。
【請求項６】  前記標準バッファリング信号は、標準書き込み信号と標準読み出し信号を含み、前記標準バッファリング信号に部分的にオーバーライドして変更されたバッファリング信号を生成する前記ステップは、前記標準読み出し信号を変更することを含み、前記変更されたバッファリング信号の受信に応答して、前記メモリ内に前記第２の形式のビデオ信号をバッファリングするステップは、
前記標準書き込み信号にしたがって、前記第１および第２のバッファのうちの一つに前記第２の形式のビデオを書き込むこと、
前記変更された読み出し信号にしたがって、前記第１および第２のバッファのうちの一つから、前記第２の形式のビデオを読み出すこと
を備えることを特徴とする請求項１に記載のメモリ管理方法。
【請求項７】  前記標準バッファリング信号は、標準書き込み信号と標準読み出し信号を含み、前記標準バッファリング信号に部分的にオーバーライドして変更されたバッファリング信号を生成する前記ステップは、前記標準読み出し信号を変更することを含み、前記変更されたバッファリング信号の受信に応答して、前記メモリ内に前記第２の形式のビデオ信号をバッファリングするステップは、
前記変更された書き込み信号にしたがって、前記第１および第２のバッファのうちの一つに前記第２の形式のビデオを交互に書き込むこと、
前記標準読み出し信号にしたがって、前記第１および第２のバッファのうちの一つから、前記第２の形式のビデオを交互に読み出すこと
を備えることを特徴とする請求項１に記載のメモリ管理方法。
【請求項８】  複数の形式を持つビデオ信号を処理するためのデジタルテレビ受像機のバッファリング・システムであって、
前記ビデオ信号をバッファリングするための、第１と第２のバッファを有するメモリと、
前記ビデオ信号の受信に応答して、標準バファリング信号を生成する手段と、
前記標準バッファリング信号を処理して、前記受信したビデオ信号が第１の形式かあるいは第２の形式かを決定する手段と、
前記受信したビデオ信号が前記第１の形式である場合に、前記標準バファリング信号にしたがって、前記第１の形式のビデオ信号が、前記第１と第２のバッファに交互に書き込まれ、前記第１と第２のバッファから交互に読み出される形で、前記受信したビデオ信号を前記メモリ内にバッファリングするための手段と、
前記受信した信号が第２の形式である場合に、前記標準バッファリング信号を部分的にオーバーライドして、変更されたバッファリング信号を生成する手段と、
前記変更されたバッファリング信号にしたがって、前記メモリ内に前記第２の形式のビデオ信号をバッファリングするための手段と
を備え、前記第２の形式のビデオ信号が、データの損失なく前記メモリにバッファされることを特徴とするバッファリング・システム。
【請求項９】  前記第１の形式は、インターレース形式、ＣＣＩＲ  ６０１／６５６準拠形式、およびＭＰＥＧ準拠形式のうちの一つであることを特徴とする請求項８に記載のバッファリング・システム。
【請求項１０】  前記第２のフォーマットは、順次走査形式であることを特徴とする請求項８に記載のバッファリング・システム。
【請求項１１】  前記標準バッファリング信号は、標準書き込み信号と標準読み出し信号を含み、前記変更されたバッファリング信号は、標準書き込み信号と変更された読み出し信号を含み、前記第２の形式のビデオ信号をバッファリングする前記手段は、
前記標準書き込み信号にしたがって、前記第１および第２のバッファのうちの一つに前記第２の形式のビデオを書き込む手段と、
前記変更された読み出し信号にしたがって、前記第１および第２のバッファのうちの一つから、前記第２の形式のビデオを読み出す手段と
を備えることを特徴とする請求項８に記載のバッファリング・システム。
【請求項１２】  前記標準バッファリング信号は、標準書き込み信号と標準読み出し信号を含み、前記変更されたバッファリング信号は、変更された書き込み信号と標準読み出し信号を含み、前記第２の形式のビデオ信号をバッファリングする前記手段は、
前記変更された書き込み信号にしたがって、前記第１および第２のバッファに前記第２の形式のビデオを交互に書き込む手段と、
前記標準の読み出し信号にしたがって、前記第１および第２のバッファから、前記第２の形式のビデオを交互に読み出す手段と
を備えることを特徴とする請求項８に記載のバッファリング・システム。
【手続補正２】
【補正対象書類名】明細書
【補正対象項目名】０００５
【補正方法】変更
【補正の内容】
【０００５】
【課題を解決するための手段】
本発明は、このような目的を達成するために、請求項１に記載の発明は、ビデオ信号を、第１と第２のバッファに分割されているメモリにバッファリングするメモリ管理方法であって、ビデオ信号を受信すること、前記ビデオ信号の受信に応答して、標準バファリング信号を生成すること、前記標準バッファリング信号を処理して、前記受信したビデオ信号が第１の形式かあるいは第２の形式かを決定すること、前記受信したビデオ信号が前記第１の形式である場合に、前記標準バファリング信号にしたがって、前記第１の形式のビデオ信号が、前記第１と第２のバッファに交互に書き込まれ、前記第１と第２のバッファから交互に読み出される形で、前記受信したビデオ信号を前記メモリ内にバッファリングすること、前記受信した信号が第２の形式である場合に、前記標準バッファリング信号を部分的にオーバーライドして、変更されたバッファリング信号を生成すること、前記変更されたバッファリング信号にしたがって、前記メモリ内に前記第２の形式のビデオ信号をバッファリングすることを備え、前記第２の形式のビデオ信号が、データの損失なく前記メモリにバッファされることを特徴とする。
【手続補正３】
【補正対象書類名】明細書
【補正対象項目名】００１０
【補正方法】変更
【補正の内容】
【００１０】
また、請求項６に記載の発明は、前記メモリ管理方法であって、前記標準バッファリング信号は、標準書き込み信号と標準読み出し信号を含み、前記標準バッファリング信号に部分的にオーバーライドして変更されたバッファリング信号を生成する前記ステップは、前記標準読み出し信号を変更することを含み、前記変更されたバッファリング信号の受信に応答して、前記メモリ内に前記第２の形式のビデオ信号をバッファリングするステップは、前記標準書き込み信号にしたがって、前記第１および第２のバッファのうちの一つに前記第２の形式のビデオを書き込むこと、前記変更された読み出し信号にしたがって、前記第１および第２のバッファのうちの一つから、前記第２の形式のビデオを読み出すこと
を備えることを特徴とする。
【手続補正４】
【補正対象書類名】明細書
【補正対象項目名】００１１
【補正方法】変更
【補正の内容】
【００１１】
また、請求項７に記載の発明は、前記メモリ管理方法であって、前記標準バッファリング信号は、標準書き込み信号と標準読み出し信号を含み、前記標準バッファリング信号に部分的にオーバーライドして変更されたバッファリング信号を生成する前記ステップは、前記標準読み出し信号を変更することを含み、前記変更されたバッファリング信号の受信に応答して、前記メモリ内に前記第２の形式のビデオ信号をバッファリングするステップは、前記変更された書き込み信号にしたがって、前記第１および第２のバッファのうちの一つに前記第２の形式のビデオを交互に書き込むこと、前記標準読み出し信号にしたがって、前記第１および第２のバッファのうちの一つから、前記第２の形式のビデオを交互に読み出すことを備えることを特徴とする。
【手続補正５】
【補正対象書類名】明細書
【補正対象項目名】００１２
【補正方法】変更
【補正の内容】
【００１２】
請求項８に記載の発明は、複数の形式を持つビデオ信号を処理するためのデジタルテレビ受像機のバッファリング・システムであって、前記ビデオ信号をバッファリングするための、第１と第２のバッファを有するメモリと、前記ビデオ信号の受信に応答して、標準バファリング信号を生成する手段と、前記標準バッファリング信号を処理して、前記受信したビデオ信号が第１の形式かあるいは第２の形式かを決定する手段と、前記受信したビデオ信号が前記第１の形式である場合に、前記標準バファリング信号にしたがって、前記第１の形式のビデオ信号が、前記第１と第２のバッファに交互に書き込まれ、前記第１と第２のバッファから交互に読み出される形で、前記受信したビデオ信号を前記メモリ内にバッファリングするための手段と、前記受信した信号が第２の形式である場合に、前記標準バッファリング信号を部分的にオーバーライドして、変更されたバッファリング信号を生成する手段と、前記変更されたバッファリング信号にしたがって、前記メモリ内に前記第２の形式のビデオ信号をバッファリングするための手段とを備え、前記第２の形式のビデオ信号が、データの損失なく前記メモリにバッファされることを特徴とするものである。
【手続補正６】
【補正対象書類名】明細書
【補正対象項目名】００１３
【補正方法】変更
【補正の内容】
【００１３】
また、請求項９に記載の発明は、前記バッファリング・システムであって、前記第１の形式は、インターレース形式、ＣＣＩＲ  ６０１／６５６準拠形式、およびＭＰＥＧ準拠形式のうちの一つであることを特徴とするものである。
【手続補正７】
【補正対象書類名】明細書
【補正対象項目名】００１４
【補正方法】変更
【補正の内容】
【００１４】
また、請求項１０に記載の発明は、前記バッファリング・システムであって、前記第２のフォーマットは、順次走査形式であることを特徴とするものである。
【手続補正８】
【補正対象書類名】明細書
【補正対象項目名】００１５
【補正方法】変更
【補正の内容】
【００１５】
また、請求項１１に記載の発明は、前記バッファリング・システムであって、前記標準バッファリング信号は、標準書き込み信号と標準読み出し信号を含み、前記変更されたバッファリング信号は、標準書き込み信号と変更された読み出し信号を含み、前記第２の形式のビデオ信号をバッファリングする前記手段は、前記標準書き込み信号にしたがって、前記第１および第２のバッファのうちの一つに前記第２の形式のビデオを書き込む手段と、前記変更された読み出し信号にしたがって、前記第１および第２のバッファのうちの一つから、前記第２の形式のビデオを読み出す手段とを備えることを特徴とするものである。
【手続補正９】
【補正対象書類名】明細書
【補正対象項目名】００１６
【補正方法】変更
【補正の内容】
【００１６】
また、請求項１２に記載の発明は、前記バッファリング・システムであって、前記標準バッファリング信号は、標準書き込み信号と標準読み出し信号を含み、前記変更されたバッファリング信号は、変更された書き込み信号と標準読み出し信号を含み、前記第２の形式のビデオ信号をバッファリングする前記手段は、前記変更された書き込み信号にしたがって、前記第１および第２のバッファに前記第２の形式のビデオを交互に書き込む手段と、前記標準の読み出し信号にしたがって、前記第１および第２のバッファから、前記第２の形式のビデオを交互に読み出す手段とを備えることを特徴とするものである。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】